(57)【要約】【課題】収益性の高いコンテンツを１台のメディアサーバ装置で同時に複数の劇場で上映することができるデジタルコンテンツ上映システムを提供する。【解決手段】上映するデジタルコンテンツのコンテンツ種別、音声種別及び字幕種別の情報を有するコンテンツ情報を出力する劇場内システム制御装置１と劇場内システム制御装置１から入力された前記コンテンツ情報に基づき、映像信号、音声信号及び字幕信号を出力するメディアサーバ装置３とを備え、メディアサーバ装置３が複数の出力系統３０，３１を有し、出力系統毎に同一または異なる映像信号、音声信号及び字幕信号を出力する。【選択図】図１
2008252280.tif 000002
【特許請求の範囲】
【請求項１】
デジタルコンテンツのコンテンツ種別情報、音声種別情報及び字幕種別情報とからなるコンテンツ情報を出力するシステム制御手段と、
前記システム制御手段から入力された前記コンテンツ情報に基づき、出力先毎に同一または異なる映像信号、音声信号及び字幕信号を出力するサーバ手段とを備え、
前記サーバ手段は、
前記デジタルコンテンツを構成する映像コンテンツ、音声コンテンツ及び字幕コンテンツを格納するコンテンツ格納部と、
前記コンテンツ情報に基づき、出力すべき映像コンテンツ、音声コンテンツ及び字幕コンテンツを前記コンテンツ格納部から読み出して復号または解読し、復号または解読した映像信号、音声信号及び字幕信号を出力先毎に割り振って出力する復号解読出力部と、
前記復号解読出力部から入力された出力先毎に同一または異なる前記映像信号、音声信号及び字幕信号を出力する複数の出力系統とを備えたことを特徴とするデジタルコンテンツ出力システム。
【請求項２】
システム制御手段は、出力系統の接続先を指示する接続指示を出力し、
前記システム制御手段から入力された前記接続指示に基づき、前記出力系統と外部装置との間を切替接続する切替手段を設けたことを特徴とする請求項１記載のデジタルコンテンツ出力システム。
【請求項３】
サーバ手段は複数接続され、
コンテンツ格納部は、複数の映像コンテンツ、音声コンテンツ及び字幕コンテンツを格納し、
システム制御手段は、サーバ手段の故障に応答して前記故障サーバを停止させると共に、前記故障サーバが出力していた映像コンテンツ、音声コンテンツ及び字幕コンテンツを出力させるコンテンツ情報を他のサーバ手段に出力し、前記他のサーバ手段の未使用の出力系統を外部装置に接続させる接続切替指示を切替手段に出力し、
前記切替手段は、前記システム制御手段から入力された前記接続切替指示に基づき、前記外部装置との接続を、前記故障サーバの出力系統から前記他のサーバ手段の空いている未使用の出力系統に切り替えることを特徴とする請求項２記載のデジタルコンテンツ出力システム。
【発明の詳細な説明】
【技術分野】
【０００１】
この発明は、映像や音声などのデジタルコンテンツを出力するデジタルコンテンツ出力システムに関し、特に収益性の高いデジタルコンテンツ出力システムに関するものである。
【背景技術】
【０００２】
従来、映画館に代表される拠点において、映像投影装置、スクリーン及び音声出力装置を備えた劇場に映像や音声等のデジタルコンテンツを出力するデジタルコンテンツ出力システムは、劇場と、上映するコンテンツを出力するコンテンツ出力装置が１対１の関係である。また、最近では従来の映画館に加えて、一つの建物内に複数の劇場を有する複合型映画館である“シネマコンプレックス”が登場するようになった。“シネマコンプレックス”は、異なる作品を同時に上映できるなど効率的な運営が可能であり、また複数の劇場を集中管理することによりコスト削減が期待でき、映画館側のメリットも大きい。この “シネマコンプレックス”においても、劇場とコンテンツ出力装置は１対１の関係である。
【発明の開示】
【発明が解決しようとする課題】
【０００３】
従来のデジタルコンテンツ出力システムは以上のように構成されているので、収益性の高い映画を把握していた場合でも、映画を上映することができる劇場数はコンテンツを保有しているコンテンツ出力装置数に縛られることとなり、収益性の高い映画のコンテンツを一つしか保有していない場合には、一つの劇場でしか上映することができず、収益性を向上させる上映計画を設計することができないという課題があった。また、一つの劇場に対して、一つのコンテンツ出力装置が必要であり、複数の劇場を有する“シネマコンプレックス”等においては、コンテンツ出力装置を劇場の数だけ導入する必要があり、設備投資費用が増大してしまうという課題があった。
【０００４】
この発明は、上記のような課題を解決するためになされたもので、収益性の高いコンテンツを同時に複数の劇場で上映することができるデジタルコンテンツ出力システムを提供することを目的とする。また、コンテンツ出力装置が故障した場合にも、他のコンテンツ出力装置が備える代替機能を用いて上映を再開することができるデジタルコンテンツ出力システムを提供することを目的とする。
【課題を解決するための手段】
【０００５】
この発明に係るデジタルコンテンツ出力システムは、デジタルコンテンツのコンテンツ種別情報、音声種別情報及び字幕種別情報とからなるコンテンツ情報を出力するシステム制御手段と、前記システム制御手段から入力された前記コンテンツ情報に基づき、出力先毎に同一または異なる映像信号、音声信号及び字幕信号を出力するサーバ手段とを備え、前記サーバ手段は、前記デジタルコンテンツを構成する映像コンテンツ、音声コンテンツ及び字幕コンテンツを格納するコンテンツ格納部と、前記コンテンツ情報に基づき、出力すべき映像コンテンツ、音声コンテンツ及び字幕コンテンツを前記コンテンツ格納部から読み出して復号または解読し、復号または解読した映像信号、音声信号及び字幕信号を出力先毎に割り振って出力する復号解読出力部と、前記復号解読出力部から入力された出力先毎に同一または異なる前記映像信号、音声信号及び字幕信号を出力する複数の出力系統とを備えたものである。
【発明の効果】
【０００６】
この発明によれば、デジタルコンテンツを出力するサーバ手段の出力系統を複数設け、さらに出力系統毎に同一または異なる映像信号、音声信号または字幕信号を出力するように構成したので、収益性の高いコンテンツを視聴できる劇場数を増やすことができ、また母国語言語が異なる観客への訴求力の向上を図ることができる。さらに、シネマコンプレックス等の施設においては、一劇場あたりに必要なサーバ手段の台数を抑制することができ、設備投資コストを低減することができる。
【発明を実施するための最良の形態】
【０００７】
実施の形態１．
図１は、この発明の実施の形態１に係るデジタルコンテンツ出力システムの構成を示すブロック図である。
デジタルコンテンツ出力システムは、劇場内システム制御装置（システム制御手段）１、出力切替装置（切替手段）２、メディアサーバ装置（サーバ手段）３、メディアサーバ装置３の出力系統３０，３１及び２つの劇場４ａ，４ｂから構成されている。また、このデジタルコンテンツ出力システムの外部装置として上映情報決定装置６が設けられている。
【０００８】
劇場内システム制御装置１は、上映情報決定装置６から入力されるコンテンツ上映情報から、メディアサーバ装置３の２つの出力系統３０，３１をどの劇場に接続するかを決定し、決定した出力先指定情報を出力切替装置２に出力する。また、上映情報決定装置６から入力されるコンテンツ上映情報に従い、メディアサーバ装置３の２つの出力系統３０，３１がそれぞれ出力すべきコンテンツ種別、音声種別、字幕種別を選択し、メディアサーバ装置３に出力する。
【０００９】
出力切替装置２は、メディアサーバ装置３と劇場４ａ，４ｂとの間に設けられ、劇場内システム制御装置１から入力される出力先指定情報に従い、メディアサーバ装置３の各出力系統３０，３１の出力先を切り替える。この実施の形態においては、図１に示すようにメディアサーバ装置３の出力系統３０が劇場４ａに、出力系統３１が劇場４ｂに接続されるように切り替える。
【００１０】
メディアサーバ装置３は、コンテンツ保存ローカルストレージ（コンテンツ格納部）１０、復号／解読出力部（復号解読出力部）２０で構成され、２本の出力系統３０，３１を介して出力切替装置２と接続している。コンテンツ保存ローカルストレージ１０は、映像、音声及び字幕等の映画ソースとなる映像コンテンツ、音声コンテンツ及び字幕コンテンツを圧縮化または暗号化してそれぞれ格納するハードディスク群から構成されている。
【００１１】
復号／解読出力部２０は、コンテンツ保存ローカルストレージ１０に格納されている映像コンテンツ、音声コンテンツ及び字幕コンテンツを読み出して復号または解読し、映像信号、音声信号及び字幕信号を生成する。また、復号／解読出力部２０は、生成した映像信号、音声信号及び字幕信号を、出力系統３０，３１が送出すべき映像、音声及び字幕種別に対応するように割り振り、出力系統３０，３１に出力する。出力系統３０，３１は、映像２種２出力、音声２種２出力及び字幕２種２出力が可能であり、復号／解読出力部２０で復号または解読された映像、音声及び字幕信号を出力切替装置２に出力する。
【００１２】
メディアサーバ装置３の処理機能を考慮すると、２つの出力系統３０，３１から出力される情報の組み合わせとして以下に示す例が考えられる。
１．映像：２系統とも同一の映像を出力。
音声：レートは落とさず、同一の音声情報を出力。
字幕：同一の字幕情報を出力。
２．映像：２系統とも同内容の映像を出力。
音声：レートは落とさず、系統毎に異なる音声情報を出力。
字幕：系統毎に異なる字幕情報を出力。
３．映像：２系統は異なる映像を出力。この場合解像度を１／２にする。
音声：レートは落とさず、系統毎に異なる音声情報を出力。
字幕：系統毎に異なる字幕情報を出力。
【００１３】
劇場４ａ，４ｂは、映像投影装置４１ａ，４１ｂ、音声出力装置４２ａ，４２ｂ、スクリーン４３ａ，４３ｂから構成されている。映像投影装置４１ａ，４１ｂは、復号または解読された映像信号と字幕信号を合成してスクリーン４３ａ，４３ｂに投影する。音声出力装置４２ａ，４２ｂは、復号または解読された音声信号を再生する。
【００１４】
外部装置である上映情報決定装置６は、収益性が高いと判断されたコンテンツについて、上映する劇場及び出力言語種別や字幕種別などを決定し、コンテンツ上映情報として劇場内システム制御装置１に出力する。図２は、この発明の実施の形態１に係る上映情報決定装置の動作を示すフローチャートである。
以下では、一つのコンテンツを複数の劇場で上映する場合を例として説明する。まず、収益性が高いと判断されたコンテンツについて上映する劇場を決定する（ステップＳＴ１０１）。ステップＳＴ１０１において、上映する劇場が決められたコンテンツについて、劇場毎に出力する言語を変更するか否かを判定する（ステップＳＴ１０２）。言語を変更するか否かの判定には、コンテンツに対して予測される収益性に基づいて行われる。
【００１５】
ステップＳＴ１０２において、劇場毎に出力する言語を変更すると判定された場合には、劇場毎に出力する言語種別を決定する（ステップＳＴ１０３）。ステップＳＴ１０２において、劇場毎に出力する言語を変更しないと判定された場合には、各劇場で共通して出力する言語種別を決定する（ステップＳＴ１０４）。次に、言語種別に基づいて字幕を付加するか否か判定する（ステップＳＴ１０５）。ステップＳＴ１０５において字幕を付加すると判定された場合には、劇場毎に付加する字幕種別を決定する（ステップＳＴ１０６）。ステップＳＴ１０５において字幕を付加しないと判定された場合には、ステップＳＴ１０７に進む。ステップＳＴ１０１からステップＳＴ１０６で決定された条件をコンテンツ上映情報として劇場内システム制御装置１に出力する（ステップＳＴ１０７）。
【００１６】
次に、この発明の実施の形態１に係るデジタルコンテンツ出力システムのコンテンツ上映処理を図３に示すフローチャートを参照しながら説明する。なお、コンテンツ上映情報決定処理は、図２に示したフローチャートに従いあらかじめ行われているものとし、出力される情報の組み合わせとして、例えば２系統とも同内容の映像Ａを出力し、系統毎に異なる音声情報Ｂ及びＣと字幕情報Ｄ及びＥを出力するものとする。
【００１７】
まず、図２に示したフローチャートに従い決定されたコンテンツ上映情報が、劇場内システム制御装置１に入力される（ステップＳＴ１）。劇場内システム制御装置１は、ステップＳＴ１において入力されたコンテンツ上映情報に基づき、メディアサーバ装置３の各出力系統３０，３１をどの劇場に接続するかを示す出力先指定情報を作成し、出力切替装置２に出力する（ステップＳＴ２）。実施の形態１では図１に示すように、メディアサーバ装置３の出力系統３０は劇場４ａに、出力系統３１は劇場４ｂに接続する出力先指定情報が作成され、出力切替装置２に出力される。出力切替装置２は、ステップＳＴ２において入力された出力先指定情報に基づき、メディアサーバ装置３の出力系統３０を劇場４ａに接続し、出力系統３１を劇場４ｂに接続する出力先切替制御を行い（ステップＳＴ３）、ステップＳＴ３の出力先切替制御が終了すると、劇場内システム制御装置１に対して出力先切替完了通知を出力する（ステップＳＴ４）。
【００１８】
ステップＳＴ４において、出力先切替完了通知を受信した劇場内システム制御装置１は、メディアサーバ装置３に対して、出力系統３０，３１がそれぞれ出力するコンテンツ種別、音声種別、字幕種別を含むコンテンツ上映指示を出力する（ステップＳＴ５）。この実施の形態１では、出力系統３０はコンテンツ種別Ａ、音声種別Ｂ及び字幕種別Ｄ、出力系統３１はコンテンツ種別Ａ、音声種別Ｃ及び字幕種別Ｅを含むコンテンツ上映指示を出力するものとする。
【００１９】
メディアサーバ装置３の復号／解読出力部２０は、ステップＳＴ５において入力されたコンテンツ上映指示に基づき、コンテンツ保存ローカルストレージ１０に格納されている映像コンテンツ、音声コンテンツ及び字幕コンテンツの中から出力系統３０，３１が出力すべき各コンテンツを読み出して復号または解読し、映像信号、音声信号及び字幕信号を生成する（ステップＳＴ６）。さらに復号／解読出力部２０は、ステップＳＴ６で生成された映像信号、音声信号及び字幕信号を出力系統３０，３１が送出すべきコンテンツ種別、音声種別及び字幕種別に対応するように割り振り、出力する（ステップＳＴ７）。この実施の形態１では、出力系統３０に対して映像信号Ａ、音声信号Ｂ及び字幕信号Ｄを出力すると共に、出力系統３１に対して映像信号Ａ、音声信号Ｃ及び字幕信号Ｅを出力する。
【００２０】
ステップＳＴ７で出力された映像信号Ａと字幕信号Ｄは、出力系統３０及び出力切替装置２を経由して劇場４ａの映像投影装置４１ａに出力されると共に、映像信号Ａと字幕信号Ｅは出力系統３１及び出力切替装置２を経由して劇場４ｂの映像投影装置４１ｂに出力される（ステップＳＴ８）。映像投影装置４１ａ，４１ｂは、入力された映像信号Ａと字幕信号ＤまたはＥを合成してスクリーン４３ａ，４３ｂに投影する（ステップＳＴ９）。
【００２１】
ステップＳＴ７で出力された音声信号Ｂは、出力系統３０及び出力切替装置２を経由して劇場４ａの音声出力装置４２ａに出力されると共に、音声信号Ｃは出力系統３１及び出力切替装置２を経由して劇場４ｂの音声出力装置４２ｂに出力される（ステップＳＴ１０）。音声出力装置４２ａ，４２ｂは、入力された音声信号ＢまたはＣを映像に同期させて再生する（ステップＳＴ１１）。ステップＳＴ９及びステップＳＴ１１においてコンテンツの上映が開始されると、復号／解読出力部２０は劇場内システム制御装置１に対して、コンテンツ上映開始通知を出力し（ステップＳＴ１２）、コンテンツ上映処理が終了する。
【００２２】
以上のように、この実施の形態１によれば、１台のメディアサーバ装置が２つの出力系統を有し、２つの劇場に対して上映するコンテンツ情報を出力するように構成したので、収益性の高いコンテンツを複数の劇場において同時に上映することができ、収益力を向上させることができる。
【００２３】
また、この実施の形態１によれば、１台のメディアサーバ装置が２つの出力系統を有し、出力系統毎に同一または異なる映像信号、音声信号または字幕信号を出力するように構成したので、母国語言語が異なる顧客への訴求が可能となり、収益力を向上させることができる。
【００２４】
なお、この実施の形態１においては、メディアサーバ装置の出力系統を２つ設ける例を示したが、出力系統の数はこれに限定されるものではなく任意の数を設けて構成してよい。
【００２５】
実施の形態２．
上述した実施の形態１に係るデジタルコンテンツ出力システムでは、１つのメディアサーバ装置が２つの出力系統を有し、この２つの出力系統を介して２つの劇場に上映するコンテンツ情報を出力する構成を示したが、この実施の形態２に係るデジタルコンテンツ出力システムは、複数の劇場を一つの劇場内システム制御装置で制御するシネマコンプレックス等において、メディアサーバ装置が故障した際に、他のメディアサーバ装置の２つの出力系統のうち一方の出力系統が代替機能を発揮するように構成したものである。
【００２６】
従来、メディアサーバ装置に故障が発生した際に他のメディアサーバを用いて代替機能を実現するためには、劇場数Ｎに対してメディアサーバ装置をＮ＋１設ける必要があり、Ｎ以下のメディアサーバ装置数ではメディアサーバ装置に代替機能を備えることはできなかった。しかし、この実施の形態２に係るデジタルコンテンツ出力システムは、メディアサーバ装置が２つの出力系統を有するように構成したため、Ｎ以下のメディアサーバ装置数で代替機能を発揮することができる。以下、このメディアサーバ装置の代替機能を中心に説明する。
【００２７】
図４は、この発明の実施の形態２に係るデジタルコンテンツ出力システムの構成を示すブロックである。以下では、実施の形態１に係るデジタルコンテンツ出力システムの構成要素と同一の部分には、実施の形態１で使用した符号と同一の符号を付して説明を省略または簡略化する。
デジタルコンテンツ出力システムは、劇場内システム制御装置１、出力切替装置２、４つのメディアサーバ装置５、４つの劇場４から構成されている。
【００２８】
劇場内システム制御装置１は、図４に示す例のようにメディアサーバ装置５ｂが故障した際に、故障したメディアサーバ装置５ｂを停止させ、さらに出力切替装置２に対して、劇場４ｂが上映していたコンテンツ内容を格納するコンテンツ保存ローカルストレージ１１ａを有するメディアサーバ装置５ａのいずれの劇場とも接続していない出力系統３３ａの出力先を劇場４ｂに切り替える出力先変更情報を出力する。また、故障していたメディアサーバ装置５ｂが出力していたコンテンツ種別、音声種別及び字幕種別を、出力系統３３ａが出力するコンテンツ種別、音声種別及び字幕種別としてメディアサーバ装置５ａに出力する。
【００２９】
出力切替装置２は、メディアサーバ装置５と劇場４との間に設けられ、劇場内システム制御装置１から入力される出力先変更情報に従い、メディアサーバ装置５の接続先を制御する。この実施の形態２においては、図４に示すようにメディアサーバ装置５ａの出力系統３３ａが劇場４ｂに接続されるように制御する。
【００３０】
メディアサーバ装置５は、コンテンツ保存ローカルストレージ１１、復号／解読出力部２０で構成され、２本の出力系統３２，３３を介して出力切替装置２と接続している。コンテンツ保存ローカルストレージ１１は、３つのコンテンツについてそれぞれ映像コンテンツ、音声コンテンツ及び字幕コンテンツを圧縮化または暗号化してそれぞれ格納するハードディスク群から構成されている。図４に示すように、例えばメディアサーバ装置５ａのコンテンツ保存ローカルストレージ１１ａはコンテンツａ，ｂ，ｃを有し、コンテンツａ，ｂ，ｃはそれぞれ劇場４ａ，４ｂ，４ｃで上映されるコンテンツである。
【００３１】
復号／解読出力部２０は、コンテンツ保存ローカルストレージ１１に格納されている映像コンテンツ、音声コンテンツ及び字幕コンテンツを読み出して復号または解読し、映像信号、音声信号及び字幕信号を生成する。また、復号／解読出力部２０は、生成した映像信号、音声信号及び字幕信号を、出力系統３２，３３が送出すべき映像、音声及び字幕種別に対応するように割り振り、出力系統３２，３３に出力する。出力系統３２，３３は、映像２種２出力、音声２種２出力及び字幕２種２出力が可能であり、復号／解読出力部２０で復号または解読された映像、音声及び字幕信号を出力切替装置２に出力する。この実施の形態２においては、図４に示すように出力系統３２は劇場４と接続されているが、出力系統３３は劇場４とは未接続である。
【００３２】
次に、この発明の実施の形態２に係るデジタルコンテンツ出力システムの代替処理を中心に説明する。図５は、この発明の実施の形態２に係るデジタルコンテンツ出力システムの代替処理を示すフローチャートである。
図４に示したように、メディアサーバ装置５ｂが何らかの原因で故障して劇場４ｂに対して正常にコンテンツを出力できなくなった場合に、劇場内システム制御装置１は、メディアサーバ装置５ｂを停止させる（ステップＳＴ１１）。次に、劇場内システム制御装置１は出力切替装置２に対して、劇場４ｂで上映していたコンテンツｂを有し、劇場４ｂに対して代替機能を有するメディアサーバ装置５ａの劇場４ａと未接続である出力系統３３ａを劇場４ｂに接続させる出力先変更情報を出力する（ステップＳＴ１２）。
【００３３】
出力切替装置２は、ステップＳＴ１２において入力された出力先変更情報に基づき、メディアサーバ装置５ａの出力系統３３ａを劇場４ｂに接続する出力先切替制御を行い（ステップＳＴ１３）、ステップＳＴ１３の出力先切替制御が終了すると、劇場内システム制御装置１に対して出力先切替完了通知を出力する（ステップＳＴ１４）。ステップＳＴ１４において、出力先切替完了通知を受信した劇場内システム制御装置１は、メディアサーバ装置５ａに対して、出力系統３２ａを介して劇場４ａに出力している映像信号の画像レートを落とすよう指示する（ステップＳＴ１５）と共に、出力系統３３ａが出力するコンテンツ種別、音声種別、字幕種別を含むコンテンツ上映指示を出力する（ステップＳＴ１６）。
【００３４】
メディアサーバ装置５ａは、ステップＳＴ１５において入力された指示に従い、劇場４ａに出力している映像信号の画像レートを落とす（ステップＳＴ１７）。また、メディアサーバ装置５ａの復号／解読出力部２０ａは、ステップＳＴ１６において入力されたコンテンツ上映指示に基づき、コンテンツｂに格納されている映像コンテンツ、音声コンテンツ及び字幕コンテンツを読み出して復号または解読し、映像信号、音声信号及び字幕信号を生成する（ステップＳＴ１８）。さらに復号／解読出力部２０は、ステップＳＴ１８で生成された映像信号、音声信号及び字幕信号を出力系統３３ａ割り振り、出力する（ステップＳＴ１９）。
【００３５】
ステップＳＴ１９で出力された映像信号と字幕信号は、出力系統３３ａを経由してステップＳＴ１３において出力先切替制御が実行された出力切替装置２により劇場４ｂの映像投影装置４１ｂに出力される（ステップＳＴ２０）。映像投影装置４１ｂは、入力された映像信号と字幕信号を合成してスクリーン４３ｂに投影する（ステップＳＴ２１）。ステップＳＴ１９で出力された音声信号は、出力系統３３ａを経由してステップＳＴ１３において出力先切替制御が実行された出力切替装置２により劇場４ｂの音声出力装置４２ｂに出力される（ステップＳＴ２２）。音声出力装置４２ｂは、入力された音声信号を映像に同期させて再生する（ステップＳＴ２３）。ステップＳＴ２１及びステップＳＴ２３においてコンテンツの上映が開始されると、復号／解読出力部２０は劇場内システム制御装置１に対して、上映開始通知を出力し（ステップＳＴ２４）、代替処理が終了する。
【００３６】
以上のように、この実施の形態２によれば、複数のメディアサーバ装置を有するシネマコンプレックス等において、１台のメディアサーバ装置が複数の出力系統と、複数のコンテンツを有するコンテンツ保存ローカルストレージを設け、あるメディアサーバに故障が発生した場合に、他のメディアサーバ装置の未使用の出力系統を用いて故障したメディアサーバ装置が出力していたコンテンツを出力するように構成したので、故障したメディアサーバ装置が復旧するのを待つことなく上映を再開することができ、コンテンツ上映サービスの継続を図ることができる。また、代替機能を設けるために予備のメディアサーバ装置を設ける必要がなく、設備投資コストを低減することができる。
【００３７】
また、この実施の形態２によれば、劇場数以下のメディアサーバ装置数で代替処理を行うように構成したので、設備敷設時にメディアサーバ装置の台数を抑制することができ、設備投資コストを低減することができる。
【００３８】
なお、この実施の形態２においては、４つのメディアサーバ装置と４つの劇場を設ける例を示したが、メディアサーバ装置と劇場の台数はこれに限定されるものではない。同様に、メディアサーバ装置の出力系統の数及びコンテンツ保存ローカルストレージの保存コンテンツの数もこれに限定されるものではない。
【図面の簡単な説明】
【００３９】
【図１】この発明の実施の形態１に係るデジタルコンテンツ出力システムの構成を示すブロック図である。
【図２】この発明の実施の形態１に係る上映情報決定装置の動作を示すフローチャートである。
【図３】この発明の実施の形態１に係るデジタルコンテンツ出力システムのコンテンツ上映処理を示すフローチャートである。
【図４】この発明の実施の形態２に係るデジタルコンテンツ出力システムの構成を示すブロック図である。
【図５】この発明の実施の形態２に係るデジタルコンテンツ出力システムの代替処理を示すフローチャートである。
【符号の説明】
【００４０】
１  劇場内システム制御装置、２  出力切替装置、３，５，５ａ，５ｂ，５ｃ，５ｄ  メディアサーバ装置、４，４ａ，４ｂ，４ｃ，４ｄ  劇場、６  上映情報決定装置、１０，１１，１１ａ，１１ｂ，１１ｃ，１１ｄ  コンテンツ保存ローカルストレージ、２０，０ａ，２０ｂ，２０ｃ，２０ｄ  復号／解読出力部、３０，３１，３２，３２ａ，３２ｂ，３２ｃ，３２ｄ，３３，３３ａ，３３ｂ，３３ｃ，３３ｄ  出力系統、４１，４１ａ，４１ｂ，４１ｃ，４１ｄ  映像投影装置、４２，４２ａ，４２ｂ，４２ｃ，４２ｄ  音声出力装置、４３，４３ａ，４３ｂ，４３ｃ，４３ｄ  スクリーン。
【図１】
2008252280.tif 000003
【図２】
2008252280.tif 000004
【図３】
2008252280.tif 000005
【図４】
2008252280.tif 000006
【図５】
2008252280.tif 000007